(57)【特許請求の範囲】
【請求項１】
被測定圧力が与えられ、電気接続装置によって電気接触子に接続された圧力測定要素を含むハウジングを有する一方向圧力変換器と、
前記圧力変換器が取り付けられる保持要素であって、前記接触子に対応する対向接触子が設けられた保持要素と、
前記対向接触子に接続された信号伝送装置とを備えた、流体の圧力測定のための、特に貫入的な血圧測定のための、圧力変換器配置システムであって、
複数の前記圧力変換器（１２、１３、１４、１５）を前記保持要素（１）に取り付けることができ、
前記対向接触子（６−９、５２、５３）の１つのグループが、前記保持要素（１）上の、それぞれの圧力変換器（１２−１５）に対して設けられており、
全ての前記圧力変換器に対する、全ての前記対向接触子が１つの同じ共通の信号伝送装置（２５、１３０）に接続された事を特徴とする圧力変換器配置システム。
【請求項２】
前記１つの共通な信号伝送装置が１本のケーブル（２５）又は無線信号伝送装置（１３０）である事を特徴とする請求項１に記載の圧力変換器配置システム。
【請求項３】
前記１つの共通な信号伝送装置（２５、１３０）が除去可能な電気プラグ・ソケット接続（１２８、１２９）によって前記保持装置（１）に取り付けられた事を特徴とする請求項１又は２に記載の圧力変換器配置システム。
【請求項４】
前記保持要素（１）から離れた方向に向けられた前記ケーブル（２５）の端（２７）が等しい数のケーブル（１１９、１２０、１２１、１２２）、モニタープラグ（１２３、１２４、１２５、１２６）を有する自由端によって複数の圧力変換器（１２−１５）に接続され、前記ケーブル（１１９−１２２）が前記保持要素に直接接続された前記共通のケーブル（２５）よりも短い事を特徴とする請求項２又は３に記載の圧力変換器配置システム。
【請求項５】
前記保持要素（１）の全ての前記対向接触子（６−９）が前記保持要素（１）の外部表面上に設けられた事を特徴とする請求項１から４に記載の圧力変換器配置システム。
【請求項６】
前記対向接触子（６−９、５２、５３）が、前記保持要素（１）の外部表面（５８）上に突き出る事を特徴とする請求項５に記載の圧力変換器配置システム。
【請求項７】
前記対向接触子が、接触ピン（６−９、５２、５３）である事を特徴とする請求項６に記載の圧力変換器配置システム。
【請求項８】
前記保持要素（１）が、前記対向接触子（５２、５３）が内部に延伸した空胴（５０、５２、４６ａ）を有し、前記保持要素（１）の内部において、１本のケーブル（２５）の個々の絶縁導体（３５、３６、３７、３８）にそれぞれ接続された複数の電気線（３０、３１）が構成され、対応するバネ（５６）を通して、それぞれの前記対向接触子（５２、５３）が前記電気線（３０、３１）に電気的に接続された事を特徴とする請求項１から７のいずれかに記載の圧力変換器配置システム。
【請求項９】
前記対向接触子（６、７、８、９）が、前記保持要素（１）上に、前記保持要素（１）の表面（５８）の高さに本質的に等しい高さに設けられた接触ピンである事を特徴とする請求項１から７に記載の圧力変換器配置システム。
【請求項１０】
前記保持要素（１）が少なくとも１つの横断部（７０、７１）をもつフレームであって、前記横断部（７０、７１）の少なくとも１つによって、フレームセル（７２、７３、７４、７５）が形成され、
前記対向接触子（８、９）のいくつかが、前記横断部（７０、７１）に取り付けられ、他の前記対向接触子（６、７）が前記フレームに取り付けられ、
前記圧力変換器（１２、１３、１４、１５）が、接触子（８１、８２、８３、８４）が設けられた突出ブロック（７７、７８、７９、８０）を含む板状部（７６）を有し、
前記ブロック（７７、７８、７９、８０）が、前記フレームセル（７２、７３、７４、７５）の中に導入可能であるような寸法に形成された事を特徴とする請求項９に記載の圧力変換器配置システム。
【請求項１１】
前記接触子（６６、６７；８１−８４）又は前記対向接触子（６、７、８、９）が端末の接触子である事を特徴とする請求項１から９に記載の圧力変換器配置システム。
【請求項１２】
前記保持要素（１）が、前記保持要素（１）の外部表面（５８）の領域において部分的に前記対向接触子（６−９、５２、５３）を包む弾性シール要素（５９、６９、８９）を有する事を特徴とする請求項１から１１に記載の圧力変換器配置システム。
【請求項１３】
複数の前記圧力変換器（１２−１５）が互いに堅固に結合され、共に保持板（１）に装着された事を特徴とする請求項４から１２に記載の圧力変換器配置システム。
【請求項１４】
流体を受け入れるための内部の空胴を含むハウジング及び内部の空間を制限するフレキシブルな圧力伝達膜によって構成された圧力ドームと、
前記圧力ドームが手動で取り付けられる保持要素であって、前記圧力ドームの前記圧力伝達膜に接触する、第２の圧力伝達膜が設けられた保持要素と、
前記流体の圧力に対応する電気信号を発生する圧力測定要素と、
表示／記録装置への電気信号の伝送のために前記保持要素に接続された信号伝送装置とを備えた、流体の圧力を測定するための、特に血圧を貫入的に測定する圧力変換器配置システムであって、
複数の前記圧力ドーム（１０４−１０７）が前記保持要素（１）に取り付け可能であり、
前記保持要素（１）において、それぞれの前記圧力ドーム（１０４−１０７）に対して伝達膜（１１３）が１つずつ設けられ、
それぞれの前記膜が前記圧力変換器に接続され、
全ての前記圧力変換器が全ての前記圧力変換器に設けられた共通の信号伝送線（１２５，１３０）に接続された事を特徴とする圧力変換器配置システム。
【請求項１５】
複数の前記圧力ドーム（１０４−１０７）が１つの単位に互いに組み合わせられ、共に前記保持要素（１）に取り付けられた事を特徴とする請求項１４に記載の圧力変換器配置システム。
【発明の詳細な説明】
【０００１】
【発明の属する技術分野】
発明は、請求項１及び請求項１４による圧力変換器配置システムに関する。
【０００２】
【従来の技術】
ＥＰ  ０、１２４、３０８  Ａ２は、使い捨ての圧力変換器、保持要素及びモニターへの接続ケーブルの３つの構成要素を有する圧力変換器配置システムを示す。測定される流体圧力が与えられることが可能な部屋に接続された実際の圧力測定要素は、圧力変換器のハウジングの中にカプセル化される。圧力測定要素は、保持要素の適合コネクターの中に差し込まれることができる電気コネクターに取り付けられる。保持要素は、圧力変換器のハウジングを保持するために適切に形作られたハウジングをも有する。保持要素のハウジング上の適合接触子は、ケーブルに接続される。使用後、圧力変換器のハウジングは、手動で保持要素から取り除くことができ、新しい圧力変換器のハウジングに取り替えることができる。
【０００３】
３つの構成要素、すなわち圧力変換器と、コネクター付きのケーブル及び圧力変換器を保持する保持要素と、コネクターとから構成されるＤＥ  ４、４００、９４１に類似した圧力変換器配置システムが知られている。
【０００４】
圧力変換器は、２つの部屋、流体水路、及び２つの流体接続を含むハウジングを有する。接続の１つは、患者の血管系に接続され、他の１つの接続は、例えば血管系の中の血液凝固を防ぐための生理的塩類溶液の注入を可能にする注入容器に接続される。測定器具は、２つの接続の間に設けられたハウジングの部屋の中に置かれ、器具は、基板に固定されて流体水路に圧力接続される。更に、裸線が圧力測定要素及び測定回路の他の電気的構成要素に接続された基板に設けられる。基板及び裸線は、ハウジングの第２の部屋の内部に伸ばされる。そこにおいて、裸線の端は、ハウジングの壁の中の開口部を通してアクセスされることができるコネクターを形成する。プラグは、ハウジングの開口部及び接触子に合うように構成され、ケーブルワイヤーに接続される接触子のために適合接触子を含む。保持要素は、その頭部に、圧力変換器が中に挿入されることができる保持レールを含む。
【０００５】
【発明が解決しようとする課題】
血圧を測定するときには、圧力変換器が保持要素に取り付けられ、接触子が適合接触子に接触するようにプラグが差し込まれる。圧力変換器の中に存在する血圧は、圧力測定要素により測定され、ケーブルを通してモニターに伝送される電気信号に変換される。しばしば、手術中又は患者が集中治療にあるとき、いくつかの圧力が連続して測定されなければならなく、いくつかの圧力変換器の使用を必要とする。したがって、前記の保持要素は、モジュラー形式に構成されるので、それぞれが１つの圧力変換器をもつ、いくつかの保持要素が互いに並べて置かれることができる。ケーブル線をこれらの保持要素からモニターへ、それぞれの圧力変換器に１ずつ分離する。多数のケーブル及びホースは、測定配置をむしろ混乱させ、圧力変換器を交換するときの混乱を起こし、看護する人がケーブルにつまずく危険を生む。
【０００６】
更に、圧力変換器は、保持要素及びケーブルが再使用される一方、定期的にそれぞれの患者について交換され、廃棄され、新しいものと交換される（ＤＥ  ４、３１７、９８５  Ａ１と比較）。圧力変換器を交換するとき、ホースは、切断され、新しい圧力変換器に接続されなければならない。この過程において、血又は注入溶液が新しい圧力変換器上又は保持要素上にこぼれる可能性がある。
【０００７】
ブリッジの１つの枝線が圧力感知抵抗を含むホイートストンブリッジを、ここで説明した型の圧力変換器は、通例備える。普通は、機能試験の間、この枝線は、定められた抵抗と共に飛び越される。モニターは、通常１００ｍｍ／Ｈｇ．の試験値を表示する。この抵抗の中の切り替えは、通常モニター上に、圧力変換器自体上（ＤＥ  ４、４００、９４１）に、又はケーブル上の分流抵抗と共に（ＥＰ  ０、３６６、６５１  Ｃ２  及び  ＵＳ  ４、６０３、５７４）、設けられたキーによって達成される。キーがモニター上又はケーブル上に設けられた場合には、キーは、圧力変換器が使用後に処分されても再使用可能である。
【０００８】
それぞれが患者及び注入容器に接続され、１回の使用後に処分される、いくつかのいわゆる「圧力ドーム」を有するＤＥ  ２９、５０６、５８９  Ｕ１の圧力変換器配置システムが知られている。圧力ドームは、モジュラー形式に互いに並べて置かれた再使用可能な保持要素上に装着される。それぞれの保持要素は、対応する圧力ドームの外側上の圧力伝達膜と相互に作用する圧力伝達膜を含む再使用可能な圧力測定要素を有する。この場合も、ケーブルは、それぞれの圧力測定要素から出て行くので、前記の問題を起こす。
【０００９】
本発明の目的は、圧力変換器の構造を簡潔に、単純にして、操作を信頼できるものにし、モニター又は他の電気装置との速く簡単な接続を可能にすることによって前記の型の圧力変換器配置システムを改善することである。
【００１０】
この目的は、請求項１及び１２の特徴によって解決される。本発明の有用な実施形態及び改良は、従属項に見ることができる。
【００１１】
【課題を解決する為の手段】
本発明の第１の原則は、いくつかの圧力変換器が取り付けることができ、それぞれの圧力変換器に対して保持要素上に適合接触子のグループを有し、全ての適合接触子が１つの信号伝送装置に接続されるように保持要素を構成することである。他の異なった発明によれば、測定される圧力を電気信号に変換する圧力変換器が保持要素の内部に設けられ、いくつかの使い捨ての圧力ドームが保持要素に取り付けられる。圧力ドーム上の対向膜と接触させられることができる１つの移動膜がそれぞれの圧力ドームに対して保持要素上に与えられる。この場合にもまた、個々の測定チャンネルの信号は、１つの信号伝送装置を通して、保持要素からモニター、記録装置又は似たものに伝送される。
【００１２】
信号伝送装置は、ケーブル又は例えば赤外線、電波又は超音波のような無線の伝送線のどちらかであることが好ましい。使い捨ての圧力変換器を備えた第１の異なった発明において、圧力変換器の外部の表面上に、及び圧力変換器が保持装置に取り付けられたときに互いに接触させられる保持要素の対応する外部の表面上に、接触子又は適合接触子を設けることが好ましい。
【００１３】
本発明の改良において、例えば色々な電気抵抗、前記のテストキーなどの圧力変換器の本質的な部分は、保持要素の内部に設けられるので、これらの構成要素は再使用可能であり、使い捨ての部分が、以前より少ない構成要素を含むので、費用及びごみが減少する。
【００１４】
信号伝送装置は、特にそれがケーブルである場合、保持要素から手動で除去可能であることが好ましい。このように、保持要素及び／又はケーブルは、必要な場合に個々に交換されることができる。実際の仕事においては、ケーブルにはかなりの力が加えられ、頻繁に交換されなければならない。この概念の改良によれば、モニターの面上のケーブルコネクターもまた個々に交換可能である。実際の状況においては、これらのモニターに接続されるコネクターは、比較的小さい磨耗に左右され、極めて高価でもある。しかし、発明のこの変形によれば、コネクターはもはや交換される必要がない。
【００１５】
発明の他の利点は、保持要素もまた、別の方法で垂直な保持板の機能を有する事にある（ＤＥ  ４、３１７、９８５  Ａ１と比較）。ＥＰ  ０、１２４、３０８において、使用された保持要素も、それ自体通常注入台に取り付けられる保持板に取り付けられる。したがって、従来の技術は、第１に圧力変換器が保持要素に配置され、次にこの装置が保持板に固定される、２段階の操作が必要とされる。本発明は、圧力測定要素又は圧力ドーム及び保持要素との間の電気又は圧力伝達接続の確立を１つの操作段階に統合する。他の利点は、信号伝送装置及び１本のケーブルだけが、モニターへ導かれる事実にある。したがって、ケーブルの間違った交換又は誤った同一視は、除去される。
【００１６】
更に、もはや、ケーブルを使用するとき、ケーブルの個々の絶縁導体の経路をそれぞれの対応する接触子に向けて定める必要がない。対応する配線又はプリント回路基板が保持要素の内部に単純に設けられる一方、電圧及び接地のための対向接触子は、それぞれケーブルの１本の絶縁導体を通って経路を定められる。この方法によって、ケーブルは、必要な絶縁導体を少なくでき、それゆえに細くでき、費用も削減できる。明らかに、これらの利点は、使い捨ての圧力ドームを有する圧力変換器配置システムにも適用される。
【００１７】
本発明による圧力変換器配置システムから起こるであろう問題は、ホースが取り外されたとき、例えば生理的塩類溶液のような流体が保持要素の上に、特に接触子上又は新しい圧力変換器及びその接触子上にのる可能性がある事にある。生理的塩類溶液は、比較的良い導体であり、したがって隣りの接触子との間に発達する流体の膜が、分流抵抗を発生し、測定された結果が誤りとなる。この重大な問題を解決するためには、本発明は、実際の使用の間、接触子を橋渡しするであろう流体の膜が発達できないような、又は電気接触が確立されるときに、部分的に又は全体的に分裂又はふき取られるようなやり方で接触子及び対抗接触子を配置及び／又は構成することを示唆する。この目的のために、例えばシール要素を接触子及び／又は対抗接触子の周囲に配置して流体膜を置きかえることができる。同様に、圧力変換器を保持要素に機械的に接続するときだけ弾性のシールが貫通され、そのときまで接触子及び対向接触子が流体に対して保護されるように対策がなされることができる。更に、例えば、接触接触子、クランプ接触子、プラグ・ソケットの組合わせ、バネ入り接触ピン、絶縁置換接触子、または他の電気接続装置のような接触子及び対向接触子の構成のための多くの選択の自由が存在する
【００１８】
最後に、本発明の改良によれば、前記のテストキー及びその電気接触子が保持要素上又は中に組み入れられる。
【００１９】
【発明の実施の形態】
図１は、４つの圧力測定位置２、３、４、及び５を有する保持要素１を備えた圧力変換器配置システムを示す。圧力測定位置２、３、４、及び５のそれぞれにおいて、示された保持要素１の正面の外部表面上に直接置かれた４つの保持板接触子６、７、８、及び９が設けられる。更に、２つのかみ合わせ要素１０及び１１が、圧力測定位置２、３、４、及び５において、それぞれ圧力変換器１２、１３、１４、及び１５の取り外し可能な留め金として設けられる。図１において圧力変換器１２，１３，及び１４は、圧力変換器１５が取り外されている間、保持要素１の対応する圧力測定位置２、３、及び４に取り付けられる。
【００２０】
図に示された、各々の圧力変換器１２、１３、１４、及び１５は、ホース２３及び２４がそれぞれ接続された第１の流体接続部２１及び第２の接続部２２を有する。例えば、接続部２１は、ホース２３により患者の血管に接続され、その間、他のホース２４は、注入容器に接続される。保持要素１に取り付けられた圧力変換器１２、１３、１４、及び１５のそれぞれに対応した、保持板接触子６、７、８、及び９に電気的に接続された圧力測定要素（図３に示される）が、それぞれの圧力変換器１２、１３、１４、及び１５の内部に１つずつ含まれる。
【００２１】
それぞれの圧力変換器１２、１３、１４、及び１５に対して、対応するテストキー１６、１７、１８、及び１９が保持要素１上に設けられる。テストキー１６、１７、１８、及び１９は、対応する圧力変換器１２、１３、１４、及び１５のそれぞれの機能試験を可能にする。この目的のために、テストキー１６、１７、１８及び１９の電気接触子は、保持要素１の内部において、対応する保持板接触子に接続され、テストキーを作動することによって、対応する圧力変換器内のブリッジの支線の抵抗が、定められた方法で修正される。あるいは、１つのテストキーが、全ての圧力変換器に設けられることで同時に、定められた方法で、ブリッジの全ての支線の圧力変換器を修正する。
【００２２】
ケーブル２５は、保持要素１に取り付けられ、ケーブル２５の第１の端２６が保持要素１に接続されている間、絶縁導体のケーブル（図２）が対応する保持板接触子にそれぞれ電気的に接続される。ケーブル２５の自由端２７にコネクター部２８が設けられる。コネクター部２８は、モニター２０のソケット部２９に直接差し込まれることができるように構成される。更に、保持要素２６に向けられたケーブルの末端において、コネクター１２９が、保持要素１上の又は中の、対応する対向接触子１２８に取り付けられる。あるいは、保持板側のケーブルの端２６は、保持要素１の中のプリント回路（図２）にはんだ付けされることもできる。
【００２３】
図１に示されたものの変形として、ケーブル２５の自由端２７は、整合コネクター１１８と接続されることができるコネクター部２８を備え、１本の短いケーブル１１９、１２０、１２１、及び１２２がそれぞれの測定チャンネルの外へ伸ばされ、モニターコネクター１２３、１２４、１２５及び１２６のそれぞれがケーブルのそれぞれの端に取り付けられ、これらのコネクターがモニター２０上の対応するソケット１２３’、１２４’、１２５’、及び１２６’のそれぞれに差し込まれることができる。したがって、ケーブル２５は、高価なモニターコネクター１２３−１２６を交換する必要なしに、コネクター１２９及び２８と交換できる。
【００２４】
図２は、保持板接触子６、７、８、及び９のケーブル２５への電気的接続を示すプリント回路基板１ｂが中に挿入されたハウジング１ａを有する開かれた保持要素１の部分的な断面を示す。図１に示す保持要素１に従って、４つの圧力測定位置２、３、４、及び５が与えられ、それぞれが、例として取り付け位置５において符号６、７、８、及び９で印された４つの保持板接触子を含む。それぞれの保持板接触子６、７、８及び９は、保持要素１の中央の領域３４を通って、そこで対応するケーブル２５のストランド３５、３６、３７、及び３８とそれぞれ電気的に接続されるケーブル３０、３１、３２、及び３３にそれぞれ接続される。プリント回路基板１ｂ上に、保護抵抗としてそれぞれの線に示された、例えば温度誤差を補正し、及び／又は電源に関連して対称的な形状の実質測定回路を配置するための分圧器の役目をすることのできる追加の色々な抵抗３３ａが、プリントされる。同様に個々の測定位置において、抵抗３３ｂは、ブリッジ回路の一部を形成し、それぞれ平衡抵抗を構成する支持板接触子６、７、８、及び９の間にプリントされる。更に、スイッチ接触表面３３ｃは、対応する裸線とそれぞれが電気的接触にあるテストキー１６−１９の領域内のプリント回路基板１ｂ上にプリントされ、キーが押されたときに、２つのスイッチ接触表面３３ｃと接触し、対応する線と接続するプリント回路基板１ｂを指す面上において、ハウジングカバー（示されていない）内の移動可能な位置に設けられたテストキー（示されていない）は、導電性の被覆を帯びる。
【００２５】
２つの線３０及び３１は、例えば、対応する圧力変換器１２（図１）への電源線の役目をし、他の線３２及び３３は、圧力変換器１２からコネクター２８へ及びそれに接続されたモニター（２０）への測定信号伝達のためのデータ線の役目をする。
【００２６】
テストキー１６、１７、１８、及び１９は、ここに概要のみ示された、それぞれの圧力測定位置２、３、４、及び５に割り当てられる。圧力測定位置５に設置された圧力変換器１２が正確に機能するとして、差込位置５に割り当てられたテストキー１９が押されると、モニター２０（図１）において記録されることが可能な、事前に定められた試験信号を生成する接触子６及び７に接続された２つの線３０、３１のそれぞれを飛び越す。圧力変換器１２において又は電気接触子６、７、８、又は９において不調が起きた場合、テストキー１９が押されているときに試験信号は事前に定められた値と異なる。
【００２７】
示された形状において、 プラグ／ソケット接続１２８、１２９をもつケーブル２５は、３０−３３のような個々の線に接続される。ソケット要素は、プリント回路基板１ｂ及び／又はハウジング１ａに取り付けられる。あるいは、ケーブル２５は、プリント回路基板の個々の線に直接はんだ付けされてもよい。
【００２８】
図２は、適切なテストキー及び色々な電線を含めた抵抗３３ａ、３３ｂ、及びスイッチ接触表面３３ｃのような本質的な要素が再使用可能な保持要素１の中に置かれ、もはや、従来技術の装置のように一方向の圧力変換器の中に置かれないことを示す。
【００２９】
図３は、圧力変換器１２が、保持要素１から分解された圧力変換器配置システムの実施形態を示す。２つの接続部２１及び２２は、圧力変換器１２のハウジング４３の一部である圧力測定水路３９の端である。その中央の部分において、圧力測定水路３９は、その端が圧力測定要素４１によって直接閉ざされた短い閉塞水路４０を有する。あるいは、水路３９に含まれた流体が、圧力測定要素を直接濡らさないように、例えば接触ゲルなどの中間の媒体が圧力測定要素４１に塗布されてもよい。
【００３０】
圧力測定要素４１は、ハウジング４３の内部に置かれた基質４２に取り付けられる。ここで線６４及び６５のみが見える接続線を通して、圧力測定要素４１が接触ピン６２及び６３にそれぞれ電気的に接続される。ハウジング４３の中に挿入され、その外部の面４４において閉じられた固定要素４３ａに、接触ピン６２及び６３と基質４２は、取り付けられる。接触ピン６２及び６３の端が、ハウジング４３の外部の表面と同一平面である、ここに示された実施形態の代わりに、ピンが外部表面４４の上に突き出されても又はハウジングの中に引っ込んでいてもよい。
【００３１】
保持要素１は、上部ハウジング部４５及び下部ハウジング部４６を有する。プリント回路基板又は基質４７が設けられた下部ハウジング部４６の空胴４６ａ内の底面４８に、２つのプリントされたトレース３０及び３１のみが見える、側面において示されたプリントされた線が備えられる。プリントされたトレース３０及び３１は、直接はんだ付けされることによって、又は例えばプラグが付いたソケットでもよい接続ピース４９を通すことによってケーブル２５のストランドに接続される。
【００３２】
上部ハウジング部４５は、例えば粘着物質、超音波溶接、かみ合わせ継ぎ手などによって下部ハウジング４６部に接続される。肩５４及び５５をそれぞれ有する接触ピン５２及び５３がそれぞれ設けられた上部ハウジング部４５に、２つの凹部５０、５１が設けられる。接触ピン５２は、バネ５６を通して、基質４７の上面４８に置かれたプリントされたトレース３１に電気的に接続され、そこで、バネ５６の１つの端が、プリントされたトレース３１を直接押す間、バネ５６の他の端が、肩５４を押す。類似して、接触ピン５３は、同様にケーブル２５に接続されたプリントされたトレース３０に電気的に接続される。圧力変換器１２が、図３の場合のように取り外されると、接触ピン５２及び５３は、２つの凹部の「底」に置かれた肩５４及び５５が付いたバネ５６によってその極限の位置まで押し込まれる。
【００３３】
この実施形態の接触ピン５２及び５３は、その接触面５７が上部ハウジング部４５の表面５８を超えて延伸する十分な長さを有する。上部ハウジング４５の表面５８の内部に保持要素１を密封する接触ピン５２の上部の軸を囲む弾性シール要素５９が取り付けられる。
【００３４】
上部ハウジング４５は、その上部の表面５８において、かみ合わせ要素６１を含む固定要素６０を有する。圧力変換器１２が、保持要素１に取り付けられたとき、接触子６２及び５２と６３及び５３のそれぞれが接触し、その動作により、圧力測定要素４１が、ケーブル２５と電気的に接続される。圧力変換器１２を押し下げることにより、圧力変換器１２のハウジング４３がそれぞれ固定要素６０及び６１とかみ合うまで、接触ピン５２及び５３がバネの力に対して保持要素１に押し込まれる。この過程で、ハウジング１の上部表面５８の頭部に残っている可能性のある、どの流体をも横方向に移動して弾性シール要素５９が変形し、それによって存在する可能性のある流体膜を破壊する。
【００３５】
更に保護被覆又は類似したものによって、湿度や、湿気に対して、使用されていない圧力変換器１２の接触子６２及び６３を保護することも可能である。保護は、圧力変換器１２を使用する直前に取り去ることができ、又は、例えば接触子５２及び５３が保護被覆を通して貫通することによって、保持要素１に付けられたときに破壊されるように塗布されることができる。
【００３６】
図４は、図３に示した圧力変換器配置システムと類似した実施形態を示す。しかるに、ここでは線６４及び６５によって圧力測定要素４１に接続された端末接触子６６及び６７が圧力変換器１２に設けられる。端末接触子６６及び６７は、それぞれ端末バックル６８を有し、挿入領域６８ａの中で、円錐形の形状を有する。保持要素１に固定して接続され、その上部の表面５８から突き出た接触子５２及び５３を保持要素１は、有する。ハウジングの上面５８の上に短い距離伸びた領域において、端末接触子６６及び６７のそれぞれの挿入領域６８ａに従って円錐形に形作られた円筒形の弾性の物質からつくられたシール要素６９によって、接触子５２及び５３は、包まれる。
【００３７】
圧力変換器１２を保持要素１に取り付けることによって、接触ピン５２及び５３は、端末接触子６６及び６７に入り込み、端末バックル６８と接触し、圧力測定要素４１とケーブル２５との間に電気的な接続を確立する。この過程において、シール要素６９は、少し変形し、保持要素１を密封し、必要ならば、接触ピン５３、５４上に存在するかもしれないどの流体をも取り去る。
【００３８】
図５ａ、５ｂ及び５ｃは、保持板接触子６、７、８及び９もまた接触ピンとして構成された圧力変換器配置システムの他の実施形態を示す。これは、ピンが、外側の表面上でなく、保持要素１の内部に設けられている点で前記の実施形態と異なる。保持板接触子６、７、８、及び９が内部に突出した４つの長方形通路開口部７２、７３、７４及び７５を形作る対称的に置かれた中間リブ７０及び７１を有するフレームとして、保持要素１は、構成される。保持板接触子６、７、８及び９は、電線３０、３１、３２、及び３３によって、接続部４９及びそれに接続するケーブル２５に接続される。
【００３９】
図５ｃに概要が示された圧力変換器１２は、四角形のブロック７７、７８、７９及び８０がそこから垂直に伸ばされた板状部７６に接続される。ブロック７７、７８、７９、及び８０の内部に、圧力変換器１２に電気的に接続される接触ソケット８１、８２、８３及び８４が設けられる。圧力変換器１２の基板７６が、保持要素１に取り付けられたとき、ブロック７７、７８、７９及び８０が通路開口部７２、７３、７４及び７５（図５ａ）の内部に延伸する。圧力変換器１２を矢印８５の方向に押すことにより、圧力変換器１２の接触ソケット８１、８２、８３及び８４と保持要素１の接触ピン６、７、８及び９との間に電気的接続が確立され、それによって接触ピン６、７、８、及び９に設けられた弾性シール要素５９が変形する。
【００４０】
図６は、保持先端８７と保持要素１のキャッチバックル８８との間にかみ合わされる板状要素８６を圧力変換器１２が、有する実施形態を示す。圧力測定要素４１は、ここでは線６４だけしか見えない電気接続線を通して円盤状の接触子６２に接続される。保持要素１の外面上に取り付けられ、ケーブル２５に電気的に接続された対向接触子６に、接触子６２は、接触する。保持要素１に取り付けられ、要素８６上に残っている可能性のある流体の水滴をふき取り、それによって、接触領域を湿度から保護し、圧力変換器１２の板状要素８６が保持先端８７に対して設置されると同時に圧力変換器１２の取り付けを助ける弾性シール要素８９によって、対向接触子６は、包まれる。
【００４１】
図７は、圧力変換器４１のハウジング４３の外部表面４４に設けられた端末接触子６６及び６７が、弾性シール要素８９及び９０によって覆われ、湿度に対して保護された実施形態を示す。圧力変換器１２を保持要素１に取り付けたとき、保持要素１に固定して取り付けられた保持板接触子５２及び５３は、シール８９及び９０を貫通し、対応する接触子６２及び６３に接触して、圧力測定要素４１とケーブル２５との間の電気的接続を確立する。
【００４２】
図８は、図７に似た、圧力変換器１２の底面４４に台９６及び９７が設けられた実施形態を示す。この形状において、試料保持板接触子５２及び５３は、接触子５２及び５３の長手方向に移動する板９７に取り付けられる。ケーブル２５と接触子５２及び５３との電気的接続が、板９７が障害なく移動するのに十分な長さである接続線３０及び３１のそれぞれを通して確立される。
【００４３】
あるいは、接触子５２及び５３は、図３のように、対応するバネを通してケーブル２５に電気的に接続されてもよい。
【００４４】
圧力ピン９９及び１００は、保持要素１の中に設けられ、レバー１０１及び１０２のそれぞれに圧力を与える。ここで概要のみ示された軸受け１０３及び１０４のそれぞれの周囲を旋回できる形でレバー１０１及び１０２が保持要素１に装着される。圧力変換器１２が保持要素１の上部表面５８に取り付けられると、台９６及び９７が、保持要素１の中へ圧力ピン９９及び１００を押し込み、それによりレバー１０１及び１０２が旋回して、リセットバネ１０３の力に対して、圧力変換器１２の接触子６２及び６３の中に押し込まれる保持板接触子５２及び５３が取り付けられた板９７を押す。
【００４５】
図９ａは、ホース２３を通して患者の循環系に圧力接続され、ホース２４を通して注入容器（図示されていない）に接続される内部の空胴を有する一方向の圧力ドーム１０４−１０７が設けられた実施形態を示す。圧力ドーム１０４−１０７の１つの外部表面上に、弾性圧力伝達膜１０８が、空胴と圧力接触している、それぞれのドームに対して１つずつ設けられる。圧力測定位置２−５に設けられた固定要素１１１及び１１２のそれぞれに協力する圧力伝達膜１０８の周辺において、圧力ドーム１０４−１０７は、それぞれ固定要素１０９及び１１０を含む。固定要素１０９−１１２は、４分の１回転の留め具として構成される。圧力ドーム１０４−１０７を取り付けるために、固定要素１０９−１１２は、圧力測定位置２−５の「斜め」の位置に設置され、固定要素１０９−１１２を互いに固定する横方向の回転によって固定される。あるいは、圧力ドームが保持要素１上に直線に押されるのを可能にする図１のかみ合わせ要素１０及び１１に似た、かみ合わせ要素を設けることもできる。ストッパー１０ａは、圧力ドームの最終位置を明確に定める。
【００４６】
圧力ドーム１０４−１０７にそれぞれ取り付けられたとき、対応する圧力伝達膜１０８に接触する圧力伝達膜１１３を、圧力測定位置２−５は、それぞれ有する。個々の圧力測定位置２−５に設けられた圧力膜１１３が、再使用可能な保持要素１の内部にまとめられた圧力接続の中の圧力測定要素（図示されていない）に接続される。共通ケーブル２５を通してアクセスされることができる電気信号に変換されることによって、圧力ドーム１０４−１０７の中に存在する流体圧力は、圧力伝達膜１０８及び１１３のそれぞれを通して圧力測定要素に伝達される。
【００４７】
図９ｂは、圧力ドーム１０４−１０７が、結合要素１１４−１１６によって相互結合され、図１に類似して、圧力ドーム１０４−１０７の留め具としてのかみ合わせ要素１０及び１１をそれぞれ有するソケット２−５の中に１つの単位として差し込まれることができる実施形態を示す。
【００４８】
図１０ａは、保持要素１に永久的に取り付けられ、圧力測定位置２−５に取り付けられたケーブル２５を備えた実施形態を示す。ソケット１１８に差し込まれた差込型コネクター１１７がケーブル２５の自由端に設けられる。圧力測定位置２−５に割り当てられ、対応するモニタープラグ１２３−１２６によってモニター２０に接続されることができる個々のモニターケーブル１１９−１２２は、ソケット１１８から導かれる。ケーブル２５又は保持要素１が被害を受けた場合、モニターケーブル１１９−１２２及びモニタープラグ１２３−１２６が再使用できる。
【００４９】
図１０ｂは、追加の電気プラグ・ソケット接続１２７を設ける。接続要素１２８は直接保持要素１に取り付けられ、接続要素１２９を通してケーブル２５に接続される。図１０ａとの比較において、この場合、保持板１及びケーブル２５は、独立して交換されることができる。
【００５０】
図１０ｃは、保持要素１の圧力測定要素とモニター２０との間の無線データ伝送の実施形態を示す。この目的のために、送信機１３０が保持要素１に設けられ、圧力測定位置２−５の圧力測定要素に接続されて、測定された圧力に対応する電磁気信号を放出する。これらの信号は、モニター２０の受け取り装置１３１によって受け取られ、表示される。
【図面の簡単な説明】
【図１】  複数の圧力変換器の取り付け及び接続のための保持要素を備えた本発明による圧力変換器配置システムの概要を示す。
【図２】  対向接触子の配線を有する開けられた保持要素を示す。
【図３】  保持要素上にバネ入りの接触ピンを有する圧力変換器配置システムの実施形態を示す。
【図４】  端子及びピン接触子を有する実施形態を示す。
【図５】  保持要素の高さと等しい高さに構成されたピン接触子を有する実施形態を示す。
【図６】  タッチ接触子を有する実施形態を示す。
【図７】  流体に対して保護された圧力変換器の接触子を有する実施形態を示す。
【図８】  収縮可能な保持板接触子を有する実施形態を示す。
【図９】  図９ａは、保持要素に個々に取り付けられた複数の圧力ドームを有する実施形態、図９ｂは、互いに並んで配置され、保持要素に１つの単位として取り付けられる複数の圧力ドームをもつ実施形態を示す。
【図１０】  図１０ａは、プラグ・ソケット接続子によってモニターに接続されたケーブルを有する図１に似た実施形態、図１０ｂは、ケーブルに対して保持要素の直接上に追加のプラグコネクターを有する図１０ａに似た実施形態、図１０ｃは、無線の信号伝送を有する実施形態を示す。
【符号の説明】
１  保持要素
１ａ  ハウジング
１ｂ  プリント回路基板
２、３、４、５  圧力測定位置
６、７、８、９  保持板接触子
１０  かみ合わせ要素
１０ａ  ストッパー
１２、１３、１４、１５  圧力変換器
１６、１７、１８、１９  テストキー
２０  モニター
２１、２２  接続部
２３、２４  ホース
２５  ケーブル
２６  端
２７  自由端
２８  コネクター部
２９  ソケット部
３０、３１  トレース
３２  線
３３ａ、３３ｂ  抵抗
３３ｃ  スイッチ接触表面
３４  中央の領域
３５、３６、３７、３８  絶縁導体
３９  圧力測定水路
４０  閉塞水路
４１  圧力測定要素
４２  基質
４３  ハウジング
４３ａ  固定要素
４４  外部表面
４５  上部ハウジング部
４６  下部ハウジング部
４６ａ  空胴
４７  基質
４８  上面
４９  接続部
５０、５１  凹部
５２、５３  接触ピン
５４、５５  肩
５６  バネ
５７  接触面
５８  表面
５９  弾性シール要素
６０、６１  固定要素
６２、６３  接触子
６４、６５  線
６６、６７  端末接触子
６８  端末バックル
６８ａ  挿入領域
６９  シール要素
７０、７１  横断部
７２、７３、７４、７５  長方形通路開口部
７６  板状部
７７、７８、７９、８０  ブロック
８１、８２、８３、８４  接触ソケット
８５  矢印
８６  板状要素
８７  保持先端
８８  キャッチバックル
８９、９０  弾性シール要素
９６、９７  台
９９、１００  圧力ピン
１０１、１０２  レバー
１０３、１０４  軸受け
１０４、１０５、１０６、１０７  圧力ドーム
１０８  圧力伝達膜
１０９、１１０，、１１１、１１２  固定要素
１１３  圧力伝達膜
１１４、１１５、１１６  結合要素
１１７  差込型コネクター
１１８  ソケット
１１９、１２０、１２１、１２２  モニターケーブル
１２３、１２４、１２５、１２６  モニタープラグ
１２７、１２８  電気プラグ・ソケット接続
１２９  コネクター
１３０  無線信号伝送装置
１３１  受け取り装置
【図１】
0004339445.tif 000002
【図２】
0004339445.tif 000003
【図３】
0004339445.tif 000004
【図４】
0004339445.tif 000005
【図５】
0004339445.tif 000006
【図６】
0004339445.tif 000007
【図７】
0004339445.tif 000008
【図８】
0004339445.tif 000009
【図９】
0004339445.tif 000010
【図１０】
0004339445.tif 000011